(57)【特許請求の範囲】
【請求項１】
金属筺体と、前記金属筺体内に構成された変調部及びチューナ部とを備え、前記変調部は発振器を有し、前記チューナ部は、受信すべきテレビジョン信号を選択すると共に増幅する高周波部と、前記高周波部から出力される前記テレビジョン信号を周波数変換する混合器と、前記混合器に局部発振信号を供給する局部発振器とを有し、前記高周波部と前記混合器との間にロ−パスフィルタを接続し、該ロ−パスフィルタのカットオフ周波数を、前記高周波部に入力されるテレビジョン信号のうちの最高周波数よりも高くしたことを特徴とする高周波電子機器。
【請求項２】
前記チューナ部は、受信すべきＵＨＦ帯のテレビジョン信号を選択すると共に増幅するＵＨＦ高周波部と、前記ＵＨＦ高周波部から出力される前記ＵＨＦ帯のテレビジョン信号を周波数変換するＵＨＦ混合器と、前記ＵＨＦ混合器に局部発振信号を供給するＵＨＦ局部発振器を有し、前記ＵＨＦ高周波部と前記ＵＨＦ混合器との間にローパスフィルタを接続し、該ローパスフィルタのカットオフ周波数を、前記ＵＨＦ高周波部に入力されるＵＨＦ帯のテレビジョン信号のうちの最高周波数よりも高くしたことを特徴とする請求項１記載の高周波電子機器。
【発明の詳細な説明】
【０００１】
【発明の属する技術分野】
本発明は、一つの金属筺体内に変調部とチュ−ナ部とが構成された高周波電子機器に関する。
【０００２】
【従来の技術】
最近のビデオテ−プレコ−ダ（以下、ＶＴＲという）には、一つの金属筺体内に変調部とチュ−ナとが構成された高周波電子機器が使用されるようになっている。
【０００３】
図４は、このような従来の高周波電子機器を説明するブロック構成図を示す。図４において、高周波電子機器４１は、一つの金属筺体４２内に収納されたプリント配線基板４３上に変調部４４とチュ−ナ部４５とが組み込まれて構成されている。そして、変調部４４は、分配器４６、混合器４７、変調器４８、ＰＬＬ回路４９等を有し、一方、チュ−ナ部４５は、ＶＨＦ高周波部５０、ＶＨＦ混合器５１、ＶＨＦ局部発振器５２、ＵＨＦ高周波部５３、ＵＨＦ混合器５４、ＵＨＦ局部発振器５５、中間周波増幅器５６等を有している。
【０００４】
また、金属筺体４２には、入力端子５７と出力端子５８が取り付けられ、さらに、変調部４４とチュ−ナ部４５とは金属筺体４２に接続されたシ−ルド板５９によって互いにシ−ルドされている。
【０００５】
そして、入力端子５７に入力されたテレビジョン信号は、分配器４６、混合器４７を介して出力端子５８から図示しないテレビジョン受信機に入力され、一方、分配器４６で分配されたテレビジョン信号は、チュ−ナ部４５のＶＨＦ高周波部５０とＵＨＦ高周波部５３とに入力されるようになっている。
【０００６】
さらに、変調部４４のＰＬＬ回路４９には、図示しないが搬送波信号を出力する電圧制御発振器（以下、ＶＣＯという）が備えられており、このＶＣＯからの搬送波信号を、図示しないＶＴＲで再生された映像信号等によって変調器４８において変調し、テレビジョン信号として混合器４７、出力端子５８を介して図示しないテレビジョン受信機に入力するようにしている。従って、ＶＣＯからの搬送波信号の周波数はテレビジョン受信機が受信できる所定の映像搬送波信号の周波数に一致するように、ＰＬＬ回路４９によって制御されているが、この周波数は、一般には、そのＶＴＲが使用される地域において放送に使用されていないチャンネルの周波数に設定されるようになっている。
【０００７】
一方、チュ−ナ部４５におけるＶＨＦ高周波部５０はＶＨＦ帯のテレビジョン信号の中から希望のチャンネルのテレビジョン信号を選択し、同様に、ＵＨＦ高周波部５３はＵＨＦ帯のテレビジョン信号の中から希望のチャンネルのテレビジョン信号を選択するものであり、図示しないがそれぞれに単同調回路からなる入力同調回路、高周波増幅器、複同調回路からなる段間同調回路等を有している。そして、選択されたチャンネルのテレビジョン信号がそれぞれの段間同調回路からＶＨＦ混合器５１、ＵＨＦ混合器５４のそれぞれに入力され、ＶＨＦ局部発振器５２、ＵＨＦ局部発振器５５からの局部発振信号と混合されることによって中間周波信号に周波数変換され、中間周波増幅器５６を介して図示しない後段の回路に入力されるようになっている。
【０００８】
【発明が解決しようとする課題】
しかし、上記の従来の高周波電子機器は、ＶＴＲに組み込まれた状態では、ＶＴＲの録画時、再生時にかからわずに変調部４４とチュ−ナ部４５とに常時電源電圧が印加されている。そのため、変調部４４とチュ−ナ部４５とがシ−ルド板４９で互いにシ−ルドされているにもかかわらず、変調部４４におけるＰＬＬ回路４９のＶＣＯからの発振信号（搬送波信号）の高調波が、チュ−ナ部４５のＶＨＦ高周波部５０あるいはＵＨＦ高周波部５３に容易に飛びつく。そして、飛びついた高調波がＶＨＦ高周波部５０あるいはＵＨＦ高周波部５３を介してそれぞれのＶＨＦ混合器５１、ＵＨＦ混合器５４に入力され、ＶＨＦ混合器５１あるいはＵＨＦ混合器５４において、ＶＨＦ局部発振器５２あるいはＵＨＦ局部発振器５５からの局部発振信号の高調波と混合されることによって中間周波信号の周波数に極めて近い周波数の妨害信号を発生するという問題が生じる。
【０００９】
上記の問題の一例を、従来の高周波電子機器が、例えば、出力チャンネルがチャンネル３２に設定された（即ち変調部４４におけるＶＣＯからの搬送波信号がチャンネル３２の周波数に設定された）ドイツ等のヨ−ロッパ仕様のＶＴＲに使用され、しかもチャンネル２６を録画している場合について説明する。
【００１０】
この場合、ヨ−ロッパのテレビジョンシステムにおけるチャンネル２６はＵＨＦ帯に該当しており、高周波電子機器４１におけるチュ−ナ部４５のＵＨＦ局部発振器５５は５５０．１５ＭＨｚの局部発振信号を出力している。一方、ＶＴＲの出力チャンネルはチャンネル３２に設定されているので、変調部４４におけるＰＬＬ回路４９のＶＣＯは５５９．２５ＭＨｚで発振している。この二つの発振信号がＵＨＦ混合器５４に入力されるが、それらの高調波も入力されている。
【００１１】
そして、ＶＣＯの発振信号の第４次高調波（２２３７ＭＨｚ）とＵＨＦ局部発振器５５の発振信号の第４次高調波（２２００．６ＭＨｚ）との差の周波数は３６．４ＭＨｚとなる。この周波数（３６．４ＭＨｚ）は、ヨ−ロッパ仕様のテレビジョンシステムにおける映像中間周波数（３８．９ＭＨｚ）と音声中間周波数（３３．４ＭＨｚ）との間に入ることになり、これが正規の受信チャンネル２６に対して妨害信号となるのである。その結果、録画されたテレビジョン信号の画像品質を劣化させていた。
【００１２】
以上のような関係に基づく妨害信号は、例えば、受信チャンネルがチャンネル２６のときにＶＴＲの出力チャンネルがチャンネル６３に設定されていた場合、受信チャンネルがチャンネル３８のときにＶＴＲの出力チャンネルがチャンネル４４あるいはチャンネル４５に設定されていた場合、また、受信チャンネルがチャンネル４６のときにＶＴＲの出力チャンネルがチャンネル２２あるいはチャンネル５２に設定されていた場合等々の多くの組み合わせによって発生する。
そこで、本発明の高周波電子機器は、このような、変調部とチュ−ナ部とが同時に動作している場合における変調部の発振信号とチュ−ナ部の発振信号とによって生じる妨害信号のレベルを低く抑えて画像品質を向上させるものである。
【００１３】
【課題を解決するための手段】
上記の課題を解決するため、本発明の高周波電子機器は、金属筺体と、前記金属筺体内に構成された変調部及びチューナ部とを備え、前記変調部は発振器を有し、前記チューナ部は、受信すべきテレビジョン信号を選択すると共に増幅する高周波部と、前記高周波部から出力される前記テレビジョン信号を周波数変換する混合器と、前記混合器に局部発振信号を供給する局部発振器とを有し、前記高周波部と前記混合器との間にロ−パスフィルタを接続し、該ロ−パスフィルタのカットオフ周波数を、前記高周波部に入力されるテレビジョン信号のうちの最高周波数よりも高くした。
【００１４】
また、前記チューナ部は、受信すべきＵＨＦ帯のテレビジョン信号を選択すると共に増幅するＵＨＦ高周波部と、前記ＵＨＦ高周波部から出力される前記ＵＨＦ帯のテレビジョン信号を周波数変換するＵＨＦ混合器と、前記ＵＨＦ混合器に局部発振信号を供給するＵＨＦ局部発振器を有し、前記ＵＨＦ高周波部と前記ＵＨＦ混合器との間にローパスフィルタを接続し、該ローパスフィルタのカットオフ周波数を、前記ＵＨＦ高周波部に入力されるＵＨＦ帯のテレビジョン信号のうちの最高周波数よりも高くした。
【００１５】
【発明の実施の形態】
以下、図１乃至図３を参照して本発明の高周波電子機器を説明する。先ず、図１は本発明の高周波電子機器のブロック構成図を示し、高周波電子機器１は、一つの金属筺体２内に収納されたプリント配線基板３上に変調部４とチュ−ナ部５とが組み込まれて構成されている。そして、変調部４は、分配器６、混合器７、変調器８、ＰＬＬ回路９等を備え、このＰＬＬ回路９は搬送波信号を発生する発振器である電圧制御発振器（以下、ＶＣＯという）１０を有している。
【００１６】
一方、チュ−ナ部５は、ＶＨＦ帯のテレビジョン信号の中から受信するＶＨＦ帯のテレビジョン信号を選択して出力する高周波部であるＶＨＦ高周波部１１、ＶＨＦ高周波部１１から出力されるＶＨＦ帯のテレビジョン信号を周波数変換して中間周波信号を出力する混合器であるＶＨＦ混合器１２、ＶＨＦ混合器１２に局部発振信号を供給する局部発振器であるＶＨＦ局部発振器１３、ＵＨＦ帯のテレビジョン信号の中から受信するＵＨＦ帯のテレビジョン信号を選択して出力する高周波部であるＵＨＦ高周波部１４、ＵＨＦ高周波部１４から出力されるＵＨＦ帯のテレビジョン信号を周波数変換して中間周波信号を出力する混合器であるＵＨＦ混合器１５、ＵＨＦ混合器１５に局部発振信号を供給する局部発振器であるＵＨＦ局部発振器１６、ＶＨＦ混合器１２またはＵＨＦ混合器１５からの中間周波信号を増幅する中間周波増幅器１７等を備えている。
【００１７】
そして、ＶＨＦ高周波部１１、ＵＨＦ高周波部１４はそれぞれに入力同調回路、高周波増幅器、段間同調回路等を有し、また、ＶＨＦ高周波部１１とＶＨＦ混合器１２との間、及びＵＨＦ高周波部１４とＵＨＦ混合器１５との間には、それぞれ第一のロ−パスフィルタ１８、第二のロ−パスフィルタ１９が設けられている。
【００１８】
ここで、ＶＨＦ高周波部１１は、ＶＨＦ入力同調回路２０、ＶＨＦ高周波増幅器２１、ＶＨＦ段間同調回路２２が順次接続されて構成されており、また、ＵＨＦ高周波部１４もＵＨＦ入力同調回路２３、ＵＨＦ高周波増幅器２４、ＵＨＦ段間同調回路２５が順次接続されて構成されている。そして、第一のロ−パスフィルタ１８は、ＶＨＦ高周波部１１のＶＨＦ段間同調回路２２とＶＨＦ混合器１２とに接続され、第二のロ−パスフィルタ１９は、ＵＨＦ高周波部１４のＵＨＦ段間同調回路２５とＵＨＦ混合器１５とに接続されている。
【００１９】
第一のロ−パスフィルタ１８は誘導Ｍ型フィルタで構成され、互いに並列接続された第一のインダクタンス素子２６と第一のコンデンサ２７と、並列接続された第一のインダクタンス素子２６と第一のコンデンサ２７との一端とグランドとの間に接続された容量素子である第二のコンデンサ２７とを有している。また、同様に、第二のロ−パスフィルタ１９も誘導Ｍ型フィルタで構成され、互いに並列接続された第二のインダクタンス素子２９と第三のコンデンサ３０と、並列接続された第二のインダクタンス素子２９と第三のコンデンサ３０との一端とグランドとの間に接続された容量素子である第四のコンデンサ３１とを有している。
【００２０】
そして、第一のロ−パスフィルタ１８は、ＶＨＦ高周波部１１が受信するＶＨＦ帯のテレビジョン信号のうちの最高周波数（ヨ−ロッパのテレビジョンシステムでは２３０ＭＨｚ）のテレビジョン信号までを通過し、最高周波数よりも高い周波数の信号を減衰するようにそのカットオフ周波数が、例えば１０００ＭＨｚ〜１５００ＭＨｚの間に設定され、また、第二のロ−パスフィルタ１９は、ＵＨＦ高周波部１４が受信するＵＨＦ帯のテレビジョン信号のうちの最高周波数（ヨ−ロッパのテレビジョンシステムでは８６２ＭＨｚ）のテレビジョン信号までを通過し、最高周波数よりも高い周波数の信号を減衰するようにそのカットオフ周波数が、例えば１５００ＭＨｚ〜２０００ＭＨｚの間に設定されている。
【００２１】
このため、ＶＨＦ混合器１２には、カットオフ周波数であるほぼ１０００ＭＨｚ〜１５０００ＭＨｚ以上の周波数の信号の入力が阻止されるかあるいは入力されてもその信号のレベルが低く抑えられ、同様に、ＵＶＨＦ混合器１５には、ほぼ１５００ＭＨｚ〜２０００ＭＨｚ以上の周波数の信号の入力が阻止されるかあるいは入力されてもその信号のレベルが低く抑えられるようになっている。
【００２２】
なお、本発明の高周波電子機器１の金属筺体２には、入力端子３２と出力端子３３が取り付けられ、さらに、変調部４とチュ−ナ部５とは金属筺体２に接続されたシ−ルド板３４によって互いにシ−ルドされている。
【００２３】
そして、入力端子３２に入力されたテレビジョン信号は、分配器６、混合器７を介して出力端子３３から図示しないテレビジョン受信機に入力され、このテレビジョン受信機で視聴することができる。一方、分配器６で分配されたテレビジョン信号は、チュ−ナ部５のＶＨＦ高周波部１１とＵＨＦ高周波部１４とに入力されるようになっている。さらに、変調部４におけるＰＬＬ回路９のＶＣＯ１０が出力する発振信号を搬送波信号とし、この搬送波信号を、高周波電子機器１が組み込まれている図示しないＶＴＲで再生された映像信号等によって変調器８で変調し、テレビジョン信号として混合器７、出力端子３３を介して図示しないテレビジョン受信機に入力するようにしている。
【００２４】
従って、ＶＣＯ１０からの搬送波信号の周波数は、テレビジョン受信機で受信が可能なように、テレビジョンシステムで決められているチャンネルに対応した所定の映像搬送波信号の周波数に一致させている。そのために、ＶＣＯ１０はＰＬＬ制御されている。この搬送波信号の周波数は、一般には、そのＶＴＲが使用される地域において放送に使用されていないチャンネルの周波数に設定されるが、この周波数はＰＬＬ回路９によって任意のチャンネルの周波数に設定できるようになっている。
【００２５】
一方、チュ−ナ部５におけるＶＨＦ高周波部１１はＶＨＦ帯のテレビジョン信号の中から希望のチャンネルのテレビジョン信号を選択し、同様に、ＵＨＦ高周波部１４はＵＨＦ帯のテレビジョン信号の中から希望のチャンネルのテレビジョン信号を選択するものであり、選択されたＶＨＦ帯のテレビジョン信号はＶＨＦ段間同調回路２２から出力され、第一のロ−パスフィルタ１８を介してＶＨＦ混合器１２に入力される。同様に、ＵＨＦ高周波部１４で選択されたＵＨＦ帯のテレビジョン信号はＵＨＦ段間同調回路２５から出力され、第二のロ−パスフィルタ１９を介してＵＨＦ混合器１５に入力される。
【００２６】
ここで、前述したように、第一のロ−パスフィルタ１８は、そのカットオフ周波数がＶＨＦ高周波部１１が受信するＶＨＦ帯のテレビジョン信号のうちの最高周波数よりも高い周波数（例えば、１５００ＭＨｚ）に設定されているので、ＶＨＦ混合器１２には、変調部４におけるＰＬＬ回路９のＶＣＯ１０からの１５００ＭＨｚ以上の高調波の入力が阻止されるかあるいは入力されてもそのレベルが低く抑えられ、同様に、第二のロ−パスフィルタ３１は、そのカットオフ周波数がＵＨＦ高周波部１４が受信するＵＨＦ帯のテレビジョン信号のうちの最高周波数よりも高い周波数（例えば、２０００ＭＨｚ）に設定されているので、ＵＨＦ混合器１５には、変調部４におけるＰＬＬ回路９のＶＣＯ１０からの２０００ＭＨｚ以上の高調波の入力が阻止されるかあるいは入力されてもそのレベルが低く抑えられる。
【００２７】
そして、ＶＨＦ混合器１２に入力されたＶＨＦ帯のテレビジョン信号は、ＶＨＦ混合器１２においてＶＨＦ局部発振器１３からの局部発振信号と混合されることによって中間周波信号に周波数変換され、その中間周波出力が中間周波増幅器１７を介して図示しない後段の回路に入力され、同様に、ＵＨＦ混合器１５に入力されたＵＨＦ帯のテレビジョン信号は、ＵＨＦ混合器１５においてＵＨＦ局部発振器１６からの局部発振信号と混合されることによって中間周波信号に周波数変換され、その中間周波出力が中間周波増幅器１７を介して図示しない後段の回路に入力される。中間周波増幅器１７の後段には図示しないビデオ復調器等が設けられており、このビデオ復調器で復調された映像信号が録画される。
【００２８】
以上のように、本発明の高周波電子機器においては、ＶＨＦ高周波部１１のＶＨＦ段間同調回路２２とＶＨＦ混合器１２との間に第一のロ−パスフィルタ１８を設け、また、ＵＨＦ高周波部１４のＵＨＦ段間同調回路２５とＵＨＦ混合器１５との間に第二のロ−パスフィルタ１９を設けているので、変調部４におけるＰＬＬ回路９のＶＣＯ１０からの発振信号の高調波がＶＨＦ混合器１２およびＵＨＦ混合器１５に入力されにくくなり、ＶＨＦ混合器１２およびＵＨＦ混合器１５で発生する妨害信号のレベルを極めて低く押さえることができる。
【００２９】
この場合、ＶＣＯ１０の発振信号の高調波と混合して妨害信号を発生するＶＨＦ局部発振器１３からの高調波とＵＨＦ局部発振器１６からの高調波とを比較すると、ＵＨＦ局部発振器１６からの高調波の次数が低くなっているので、ＵＨＦ局部発振器１６からの高調波のレベルが高くなっている（一般的に、高調波のレベルは次数が低いほど高くなる）。そのため、ＶＨＦ混合器１２よりもむしろＵＨＦ混合器１５から妨害信号が顕著に出力される。従って、少なくともＵＨＦ高周波部１４のＵＨＦ段間同調回路２５とＵＨＦ混合器１５との間に第二のロ−パスフィルタ１９を設けることによって妨害信号の発生を効果的に防止できる。
【００３０】
また、第一のロ−パスフィルタ１８および第二のロ−パスフィルタ１９の回路構成は、図１に示すような誘導Ｍ型のロ−パスに限らず、Ｔ型、π型等の定Ｋ型フィルタや、あるいは定Ｋ型フィルタの半区間で構成した図２に示すようなＬ型のロ−パスフィルタ３５を用いてもよい。このロ−パスフィルタフィルタ３５は、インダクタンス素子３６とグランドに接地された容量素子であるコンデンサ３７との二個の部品で簡単に構成できるので金属筺体２に収納したプリント配線基板３のスペ−スを余分に占めることがない。また、ＶＨＦ段間同調回路２２とＶＨＦ混合器１２とのインピ−ダンス整合、およびＵＨＦ段間同調回路２５とＵＨＦ混合器１５とのインピ−ダンス整合を簡単に得ることができる。
【００３１】
なお、第一のロ−パスフィルタ１８および第二のロ−パスフィルタ１９を図１に示すような誘導Ｍ型のロ−パスフィルタにすれば、カットオフ周波数の近傍までの範囲に存在するＶＣＯ１０からの高調波を減衰できるので、ＶＨＦ混合器１２あるいはＵＨＦ混合器１５で発生する多くの妨害信号を抑えられる。
【００３２】
また、図１に示す第一のロ−パスフィルタ１８の第二のコンデンサ２８、痔二のロ−パスフィルタ１９の第四のコンデンサ３１、あるいは図２に示すコンデンサ３７はいずれもグランドに接地される容量素子であるので、これらのコンデンサ２８、３１、３７を図３に示すように、プリント配線基板３上に設けた二つの導体パタ−ン３８と３９との間に形成される浮遊容量４０で代用することができる。そして、一方の導体パタ−ン３８に、例えば図２に示すロ−パスフィルタ３５のコイル３６を接続し、他方の導体パタ−ン３９を金属筺体２に接続すればよい。このように、プリント配線基板３を利用した浮遊容量４０を用いればコンデンサ３７が削除できる。
【００３４】
【発明の効果】
以上のように、本発明の高周波電子機器は、高周波部と混合器との間にロ−パスフィルタを接続し、該ロ−パスフィルタのカットオフ周波数を、高周波部に入力されるテレビジョン信号のうちの最高周波数よりも高くしたので、変調部の発振器からの発振信号の高調波が混合器に入力されにくくなり、混合器で発生する妨害信号のレベルを低く押さえることができる。
【００３７】
また、ＵＨＦ高周波部とＵＨＦ混合器との間にローパスフィルタを接続し、該ローパスフィルタのカットオフ周波数を、ＵＨＦ高周波部に入力されるＵＨＦ帯のテレビジョン信号のうちの最高周波数よりも高くしたので、ＵＨＦ混合器で発生する妨害信号のレベルを極めて低く押さえることができる。
【図面の簡単な説明】
【図１】本発明の高周波電子機器のブロック構成図である。
【図２】本発明の高周波電子機器に使用するロ−パスフィルタの回路図である。
【図３】本発明の高周波電子機器に使用するロ−パスフィルタのコンデンサの形成方法を説明する説明図である。
【図４】従来の高周波電子機器のブロック構成図である。
【符号の説明】
１  高周波電子機器
２  金属筺体
３  プリント配線基板
４  変調部
５  チュ−ナ部
６  分配器
７  混合器
８  変調器
９  ＰＬＬ回路
１０  ＶＣＯ
１１  ＶＨＦ高周波部
１２  ＶＨＦ混合器
１３    ＶＨＦ局部発振器
１４    ＵＨＦ高周波部
１５    ＵＨＦ混合器
１６    ＵＨＦ局部発振器
１７    中間周波増幅器
１８    第一のロ−パスフィルタ
１９    第二のロ−パスフィルタ
２０  ＶＨＦ入力同調回路
２１  ＶＨＦ高周波増幅器
２２  ＶＨＦ段間同調回路
２３    ＵＨＦ入力同調回路
２４  ＵＨＦ高周波増幅器
２５  ＵＨＦ段間同調回路
２６    第一のインダクタンス素子
２７    第一のコンデンサ
２８    第二のコンデンサ
２９    第二のインダクタンス素子
３０    第三のコンデンサ
３１    第四のコンデンサ
３２    入力端子
３３    出力端子
３４    シ−ルド板
３５    Ｌ型のロ−パスフィルタ
３６    コイル
３７    コンデンサ
３８．３９    導体パタ−ン
４０    浮遊容量
【図１】
0003573591.tif 000002
【図２】
0003573591.tif 000003
【図３】
0003573591.tif 000004
【図４】
0003573591.tif 000005